(57)【要約】【課題】坑道内や地下空間などでも、長尺のＨ鋼や鋼板などの鋼材を保持して運搬することができ、導入時のコストを低減することができる鋼材用保持具を提供する。【解決手段】細長い鋼材固定部１１が、鋼材２の長さ方向に沿って鋼材２を固定可能に設けらている。回転支持部１２が、リーダレス型基礎機械１のアーム１ａの先端に取付可能に設けられている。回転支持部１２は、鋼材固定部１１を長さ方向に対して垂直な回転軸を中心として回転可能に支持する。【選択図】図１
2019147664.tif 000002
【特許請求の範囲】
【請求項１】
リーダレス型基礎機械のアームに取り付けて、所定の長さの鋼材を保持するために使用される鋼材用保持具であって、
前記鋼材の長さ方向に沿って前記鋼材を固定可能な細長い鋼材固定部と、
前記アームの先端に取付可能に設けられ、前記鋼材固定部を長さ方向に対して垂直な回転軸を中心として回転可能に支持する回転支持部とを、
有することを特徴とする鋼材用保持具。
【請求項２】
前記鋼材固定部は少なくとも両端部で前記鋼材を固定可能であり、
前記回転支持部は前記鋼材固定部の中央部で前記鋼材固定部を回転可能に支持することを
特徴とする請求項１記載の鋼材用保持具。
【請求項３】
前記鋼材固定部は前記鋼材を固定する固定面を有し、
前記回転支持部は、前記回転軸が前記固定面に対して垂直であり、前記固定面の反対側で前記鋼材固定部を回転可能に支持することを
特徴とする請求項１または２記載の鋼材用保持具。
【請求項４】
前記回転支持部に対して前記鋼材固定部が回転しないよう固定するための回転ストッパを有することを特徴とする請求項１乃至３のいずれか１項に記載の鋼材用保持具。
【発明の詳細な説明】
【技術分野】
【０００１】
本発明は、鋼材用保持具に関する。
【背景技術】
【０００２】
従来、長尺のＨ鋼や鋼板などの設置や撤去を行う際には、大型のクレーン等の重機を利用して、ワイヤ等でそれらの鋼材を吊り下げて保持し、移動させるのが一般的であった。しかし、坑道内や地下空間などでは、大型の重機が使用できないため、それらの鋼材を移動させるのが非常に困難であった。そこで、地下空間などでもそれらの鋼材を保持して運搬するための専用の運搬装置が開発されている（例えば、特許文献１参照）。
【先行技術文献】
【特許文献】
【０００３】
【特許文献１】特開平８−２６６９９号公報
【発明の概要】
【発明が解決しようとする課題】
【０００４】
しかしながら、特許文献１の運搬装置は、地下空間などで使用するために特別に開発されたものであり、導入する際には、製造費用や購入費用などのコストが嵩むという課題があった。
【０００５】
本発明は、このような課題に着目してなされたもので、坑道内や地下空間などでも、長尺のＨ鋼や鋼板などの鋼材を保持して運搬することができ、導入時のコストを低減することができる鋼材用保持具を提供することを目的としている。
【課題を解決するための手段】
【０００６】
上記目的を達成するために、本発明に係る鋼材用保持具は、リーダレス型基礎機械のアームに取り付けて、所定の長さの鋼材を保持するために使用される鋼材用保持具であって、前記鋼材の長さ方向に沿って前記鋼材を固定可能な細長い鋼材固定部と、前記アームの先端に取付可能に設けられ、前記鋼材固定部を長さ方向に対して垂直な回転軸を中心として回転可能に支持する回転支持部とを、有することを特徴とする。
【０００７】
本発明に係る鋼材用保持具は、回転支持部をリーダレス型基礎機械のアームの先端に取り付けて使用される。本発明に係る鋼材用保持具は、長尺のＨ鋼や鋼板などの、所定の長さの鋼材を、鋼材の長さ方向に沿って、細長い鋼材固定部に固定することができる。これにより、リーダレス型基礎機械で鋼材を保持した状態で、移動することができる。また、回転支持部に対して、鋼材固定部の長さ方向に対して垂直な回転軸を中心として、鋼材固定部を回転させることにより、保持した鋼材を所望の向きに回転移動させることができる。
【０００８】
本発明に係る鋼材用保持具は、例えば、長尺の鋼材を水平に保持した状態で運搬したり、水平面内で回転させたりすることにより、バランスを保った状態で鋼材の運搬や回転を行うことができ、安全性を高めることができる。また、水平状態での鋼材の設置や、水平に設置された鋼材の撤去を容易に行うことができる。なお、鋼材は、長尺のＨ鋼や鋼板だけでなく、所定の長さを有し、鋼材固定部に固定可能なものであれば、いかなるものであってもよい。
【０００９】
本発明に係る鋼材用保持具で、リーダレス型基礎機械は、大型のクレーンよりも小さい油圧ショベルや油圧クレーン等であり、アームの先端のアタッチメントを交換可能なものや、アームの先端に複数のアタッチメントを取付可能なものであることが好ましい。この場合、本発明に係る鋼材用保持具を、アタッチメントとしてアームの先端に着脱可能に取り付けることができる。
【００１０】
このように、本発明に係る鋼材用保持具は、リーダレス型基礎機械に取り付けて使用することにより、大型のクレーン等の重機が使用できない坑道内や地下空間などでも、長尺のＨ鋼や鋼板などの鋼材を保持して運搬することができる。また、既存のリーダレス型基礎機械のアームの先端に取り付けることができるため、専用の運搬装置と比べて、製造費用や購入費用などの導入時のコストを低減することができる。
【００１１】
本発明に係る鋼材用保持具で、前記鋼材固定部は少なくとも両端部で前記鋼材を固定可能であり、前記回転支持部は前記鋼材固定部の中央部で前記鋼材固定部を回転可能に支持することが好ましい。この場合、鋼材固定部の複数箇所で鋼材を固定すると共に、その固定位置の間で鋼材固定部を回転可能に支持するため、安定した状態で運搬や回転を行うことができ、安全性を高めることができる。
【００１２】
本発明に係る鋼材用保持具で、前記鋼材固定部は前記鋼材を固定する固定面を有し、前記回転支持部は、前記回転軸が前記固定面に対して垂直であり、前記固定面の反対側で前記鋼材固定部を回転可能に支持することが好ましい。この場合、より安定した状態で鋼材を固定して回転させることができる。
【００１３】
本発明に係る鋼材用保持具は、前記回転支持部に対して前記鋼材固定部が回転しないよう固定するための回転ストッパを有することが好ましい。この場合、鋼材の運搬時など、回転以外の作業時に鋼材が回転しないよう、回転ストッパで鋼材固定部を固定しておくことにより、運搬などの作業を安全に行うことができる。
【発明の効果】
【００１４】
本発明によれば、坑道内や地下空間などでも、長尺のＨ鋼や鋼板などの鋼材を保持して運搬することができ、導入時のコストを低減することができる鋼材用保持具を提供することができる。
【図面の簡単な説明】
【００１５】
【図１】本発明の実施の形態の鋼材用保持具を示す（ａ）斜視図、（ｂ）正面図、（ｃ）側面図である。
【図２】本発明の実施の形態の鋼材保持具の使用状態を示す側面図である。
【発明を実施するための形態】
【００１６】
以下、図面に基づき、本発明の実施の形態について説明する。
図１および図２は、本発明の実施の形態の鋼材用保持具を示している。
図１および図２に示すように、鋼材用保持具１０は、リーダレス型基礎機械１のアーム１ａに取り付けて、所定の長さの鋼材２を保持するために使用される。鋼材用保持具１０は、鋼材固定部１１と回転支持部１２と回転ストッパ１３とを有している。
【００１７】
図１に示すように、鋼材固定部１１は、固定板２１と支持部材２２と取付板２３を有している。固定板２１は、細長い矩形状の板から成り、一方の表面が鋼材２を固定するための固定面２１ａを成している。固定板２１は、両端部に、鋼材２を固定するための複数の固定孔２１ｂを有している。支持部材２２は、細長い鋼材の両端部２２ａを、中央部２２ｂに対して同じ方向に鈍角で折り曲げた形状を成している。支持部材２２は、中央部２２ｂが固定板２１の他方の表面２１ｃから突出するよう、両端部２２ａが固定板２１の他方の表面２１ｃの中央部に固定されている。取付板２３は、円板状を成し、一方の面２３ａが固定面２１ａとは反対向きで固定面２１ａと平行を成すよう、支持部材２２の中央部２２ｂの固定板２１とは反対側の側面に取り付けられている。
【００１８】
回転支持部１２は、回転板２４と取付基板２５と取付突出板２６と回転軸材２７とを有している。回転板２４は、取付板２３と同じ大きさの円板状を成し、一方の面２４ａが取付板２３の一方の面２３ａと同軸で接するよう配置されている。取付基板２５は、矩形板状を成し、回転板２４の他方の面２４ｂに取り付けられている。取付基板２５は、回転板２４の直径と同じ長さ、回転板２４の直径より短い幅を有し、中心位置を回転板２４の中心位置に合わせて取り付けられている。取付突出板２６は、１対から成り、取付基板２５の表面の両端部に、回転板２４とは反対側に向かって、取付基板２５の表面に対して垂直に伸びるよう設けられている。各取付突出板２６は、互いに対向するよう設けられ、取付基板２５での取付位置で、取付基板２５の幅と同じ幅を有し、先端に向かって徐々に幅が小さくなるよう設けられている。各取付突出板２６は、先端付近の互いに対向する位置に、厚みを貫通して設けられた取付孔２６ａを有している。
【００１９】
回転軸材２７は、鋼材固定部１１の支持部材２２および取付板２３、並びに、回転板２４および取付基板２５の中心部を貫通して、固定面２１ａに対して垂直に伸びるよう設けられている。回転軸材２７は、回転板２４および取付基板２５と、鋼材固定部１１の支持部材２２および取付板２３とを、相対的に回転可能に支持している。これにより、回転支持部１２は、固定板２１の固定面２１ａとは反対側の鋼材固定部１１の中央部で、鋼材固定部１１を回転可能に支持している。また、回転支持部１２は、鋼材固定部１１を、鋼材固定部１１の固定板２１の長さ方向に対して垂直な回転軸材２７を中心として回転可能に支持している。
【００２０】
回転支持部１２は、取付基板２５の両側縁からはみ出した回転板２４の２箇所に、回転板２４の厚みを貫通して設けられた貫通孔（図示せず）を有している。また、鋼材固定部１１は、回転軸材２７を中心として回転支持部１２に対して回転したとき、取付板２３の各貫通孔に対応する複数の位置に、取付板２３の厚みを貫通して設けられた挿入孔（図示せず）を有している。各挿入孔は、所定の回転角度ごとに各貫通孔に対応するよう設けられている。
【００２１】
回転ストッパ１３は、回転板２４の各貫通孔および取付板２３の各挿入孔に挿入可能に設けられた１対のピンから成っている。回転ストッパ１３は、回転板２４の各貫通孔を、取付板２３のいずれかの挿入孔に合わせた状態で、その各貫通孔と挿入孔とに挿入するよう設けられている。これにより、回転ストッパ１３は、回転支持部１２に対して鋼材固定部１１が回転しないよう固定可能になっている。
【００２２】
鋼材用保持具１０は、回転支持部１２の各取付突出板２６の取付孔２６ａを利用して、リーダレス型基礎機械１のアーム１ａの先端に取付可能になっている。なお、図２に示す具体的な一例では、リーダレス型基礎機械１は、大型のクレーンよりも小さい油圧ショベルや油圧クレーン等であり、アーム１ａの先端のアタッチメントを交換可能になっている。これにより、リーダレス型基礎機械１は、鋼材用保持具１０をアタッチメントとしてアーム１ａの先端に着脱可能に取り付けられるようになっている。
【００２３】
次に、作用について説明する。
図２に示すように、鋼材用保持具１０は、回転支持部１２をリーダレス型基礎機械１のアーム１ａの先端に取り付けて使用される。鋼材用保持具１０は、長尺のＨ鋼や鋼板などの、所定の長さを有する鋼材２を、鋼材２の長さ方向に沿って、細長い固定板２１の固定面２１ａに固定することができる。このとき、固定孔２１ｂを利用して、固定板２１の両端部の複数箇所で鋼材２を固定することができる。これにより、リーダレス型基礎機械１で鋼材２を安定した状態で保持して、運搬することができる。また、回転支持部１２に対して、鋼材固定部１１の長さ方向に対して垂直な回転軸材２７を中心として、鋼材固定部１１を回転させることにより、保持した鋼材２を所望の向きに回転移動させることができる。このとき、鋼材２の固定位置の間の固定板２１の中央部で、鋼材固定部１１を回転可能に支持しているため、安定した状態で回転を行うことができる。
【００２４】
鋼材用保持具１０は、例えば、長尺の鋼材２を水平に保持した状態で運搬したり、水平面内で回転させたりすることにより、バランスを保った状態で鋼材２の運搬や回転を行うことができ、安全性を高めることができる。また、水平状態での鋼材２の設置や、水平に設置された鋼材２の撤去を容易に行うことができる。
【００２５】
また、鋼材用保持具１０は、鋼材２の運搬時など、回転以外の作業時に鋼材２が回転しないよう、回転ストッパ１３で鋼材固定部１１を固定しておくことにより、運搬などの作業を安全に行うことができる。
【００２６】
このように、鋼材用保持具１０は、リーダレス型基礎機械１に取り付けて使用することにより、大型のクレーン等の重機が使用できない坑道内や地下空間などでも、長尺のＨ鋼や鋼板などの鋼材２を保持して運搬することができる。また、既存のリーダレス型基礎機械１のアーム１ａの先端に取り付けることができるため、専用の運搬装置と比べて、製造費用や購入費用などの導入時のコストを低減することができる。
【符号の説明】
【００２７】
１  リーダレス型基礎機械
１ａ  アーム
２  鋼材
１０  鋼材用保持具
１１  鋼材固定部
２１  固定板
２１ａ  固定面
２１ｂ  固定孔
２１ｃ  他方の表面
２２  支持部材
２２ａ  両端部
２２ｂ  中央部
２３  取付板
２３ａ  一方の面
１２  回転支持部
２４  回転板
２４ａ  一方の面
２４ｂ  他方の面
２５  取付基板
２６  取付突出板
２６ａ  取付孔
２７  回転軸材
１３  回転ストッパ
【図１】
2019147664.tif 000003
【図２】
2019147664.tif 000004
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
リーダレス型基礎機械に取り付けて、所定の長さを有する鋼材を保持するために使用される鋼材用保持具であって、
細長く、前記鋼材の長さ方向に沿って前記鋼材を固定可能に設けられた鋼材固定部と、
前記リーダレス型基礎機械のアームの先端に取付可能に設けられ、前記鋼材固定部を、前記鋼材固定部の長さ方向に対して垂直な回転軸を中心として回転可能に支持する回転支持部とを有し、
前記鋼材固定部は、前記鋼材を固定する矩形状の固定面を有し、前記固定面の両端部に前記鋼材を固定するための複数の固定孔を有し、各固定孔を利用して、前記固定面の複数箇所で前記鋼材を固定可能であり、
前記回転支持部は、前記回転軸が前記固定面に対して垂直であり、前記固定面とは反対側の前記鋼材固定部の中央部で、前記鋼材固定部を回転可能に支持していることを
特徴とする鋼材用保持具。
【請求項２】
前記回転支持部に対して前記鋼材固定部が回転しないよう固定するための回転ストッパを有していることを特徴とする請求項１記載の鋼材用保持具。
【手続補正２】
【補正対象書類名】明細書
【補正対象項目名】０００６
【補正方法】変更
【補正の内容】
【０００６】
上記目的を達成するために、本発明に係る鋼材用保持具は、リーダレス型基礎機械に取り付けて、所定の長さを有する鋼材を保持するために使用される鋼材用保持具であって、細長く、前記鋼材の長さ方向に沿って前記鋼材を固定可能に設けられた鋼材固定部と、前記リーダレス型基礎機械のアームの先端に取付可能に設けられ、前記鋼材固定部を、前記鋼材固定部の長さ方向に対して垂直な回転軸を中心として回転可能に支持する回転支持部とを有し、前記鋼材固定部は、前記鋼材を固定する矩形状の固定面を有し、前記固定面の両端部に前記鋼材を固定するための複数の固定孔を有し、各固定孔を利用して、前記固定面の複数箇所で前記鋼材を固定可能であり、前記回転支持部は、前記回転軸が前記固定面に対して垂直であり、前記固定面とは反対側の前記鋼材固定部の中央部で、前記鋼材固定部を回転可能に支持していることを特徴とする。
【手続補正３】
【補正対象書類名】明細書
【補正対象項目名】００１１
【補正方法】変更
【補正の内容】
【００１１】
本発明に係る鋼材用保持具は、鋼材固定部の複数箇所で鋼材を固定すると共に、その固定位置の間で鋼材固定部を回転可能に支持するため、安定した状態で運搬や回転を行うことができ、安全性を高めることができる。
【手続補正４】
【補正対象書類名】明細書
【補正対象項目名】００１２
【補正方法】削除
【補正の内容】